(57)【要約】【課題】省エネルギー効果を奏するとともに、室内環境を快適にすることができる採光システム、及び、建造物を提供する。【解決手段】採光システム１０は、開口部２を有した室内に光を採り入れる採光システム１０であって、開口部２に配置され、室内に光を採り入れる採光部材２０と、室内の天井３ｄに設けられ、流体Ｆが流動する流体流動部１２と、流体流動部１２に接するようにして、採光部材２０により採り入れられる光の入射位置に配置され、光の熱を吸収して蓄える蓄熱部１１とを備える。【選択図】図２
2017002581.tif 000002
【特許請求の範囲】
【請求項１】
開口部を有した室内に光を採り入れる採光システムであって、
前記開口部に配置され、前記室内に光を採り入れる採光部材と、
前記室内の天井に設けられ、流体が流動する流体流動部と、
前記流体流動部に接するようにして、前記採光部材により採り入れられる光の入射位置に配置され、前記光の熱を吸収して蓄える蓄熱部と、
を備える採光システム。
【請求項２】
請求項１に記載の採光システムにおいて、
前記蓄熱部は、前記流体流動部内に対して突出する突出部を備えること、
を特徴とする採光システム。
【請求項３】
請求項１又は請求項２に記載の採光システムにおいて、
前記流体流動部には、前記流体を導入する導入口と、前記流体を排出する排出口とが設けられていること、
を特徴とする採光システム。
【請求項４】
請求項１から請求項３までのいずれか１項に記載の採光システムにおいて、
前記流体流動部には、前記流体流動部内の前記流体を流動させる流動機構部が設けられていること、
を特徴とする採光システム。
【請求項５】
請求項１から請求項４までのいずれか１項に記載の採光システムを備える建造物。
【発明の詳細な説明】
【技術分野】
【０００１】
本発明は、室内に太陽光等の光を採り入れる採光部材を有した採光システム、及び、建造物に関するものである。
【背景技術】
【０００２】
従来、建造物の部屋の床下に蓄熱材を配置し、開口部（窓）から入射した太陽光の熱エネルギーを蓄え、蓄熱材に蓄えられた熱を対流によって室内に均等に分散させて室内環境を快適にするとともに、省エネルギー効果を得る技術が知られている。
しかし、一般に建造物の室内の床上には、絨毯や家具等が配置される場合が多いため、開口部から入射した太陽光等を床下の蓄熱材に十分に当てることができず、蓄熱効果を十分に得ることができない場合があった。
【０００３】
そのため、絨毯や家具等による太陽光の入射の妨げの影響が少ない天井に蓄熱材を配置する技術が提案されている（例えば、特許文献１）。特許文献１の建物は、部屋の換気塔の天井裏に蓄熱材が配置されており、換気塔の窓から入射する太陽光を反射板を介して蓄熱材に入射させている。
しかし、この特許文献１の建物は、天井裏において熱が籠り易くなるため、特に夏場等の気温が上昇する季節において、夜になっても熱が逃げず、それに伴い室内の温度も下がりにくくなり、室内環境を快適にすることができない場合があった。また、この場合、室内環境を快適にするために、冷房等の空調を行うこととなり、省エネルギー効果も低減してしまうこととなる。
【先行技術文献】
【特許文献】
【０００４】
【特許文献１】特開２０１４−５１８５５号公報
【発明の概要】
【発明が解決しようとする課題】
【０００５】
本発明の課題は、省エネルギー効果を奏するとともに、室内環境を快適にすることができる採光システム、及び、建造物を提供することである。
【課題を解決するための手段】
【０００６】
本発明は、以下のような解決手段により、前記課題を解決する。なお、理解を容易にするために、本発明の実施形態に対応する符号を付して説明するが、これに限定されるものではない。
第１の発明は、開口部（２）を有した室内に光を採り入れる採光システム（１０）であって、前記開口部に配置され、前記室内に光を採り入れる採光部材（２０）と、前記室内の天井（３ｄ）に設けられ、流体（Ｆ）が流動する流体流動部（１２）と、前記流体流動部に接するようにして、前記採光部材により採り入れられる光の入射位置に配置され、前記光の熱を吸収して蓄える蓄熱部（１１）と、を備える採光システムである。
第２の発明は、第１の発明の採光システム（１０）において、前記蓄熱部（１１）は、前記流体流動部（１２）内に対して突出する突出部（１１ａ）を備えること、を特徴とする採光システムである。
第３の発明は、第１の発明又は第２の発明の採光システム（１０）において、前記流体流動部（１２）には、前記流体（Ｆ）を導入する導入口（１３）と、前記流体を排出する排出口（１４）とが設けられていること、を特徴とする採光システムである。
第４の発明は、第１の発明から第３の発明までのいずれかの発明の採光システム（１０）において、前記流体流動部（１２）には、前記流体流動部内の前記流体（Ｆ）を流動させる流動機構部（１７）が設けられていること、を特徴とする採光システムである。
第５の発明は、第１の発明から第４の発明までのいずれかの発明の採光システム（１０）を備える建造物（１）である。
【発明の効果】
【０００７】
本発明によれば、省エネルギー効果を奏するとともに、室内環境を快適にすることができる。
【図面の簡単な説明】
【０００８】
【図１】実施形態の採光システムを適用した建造物を説明する図である。
【図２】実施形態の建造物の内側を説明する図である。
【図３】実施形態の採光部材の詳細を説明する図である。
【図４】光偏向層の他の形態を示す図である。
【図５】採光システムを適用した建造物の内側の他の形態を示す図である。
【図６】採光システムを適用した建造物の内側の他の形態を示す図である。
【図７】変形形態の採光システムを適用した建造物を説明する図である。
【発明を実施するための形態】
【０００９】
以下、図面等を参照して、本発明の実施形態について説明する。なお、図１を含め、以下に示す各図は、模式的に示した図であり、各部の大きさ、形状は、理解を容易にするために、適宜誇張している。
本明細書中に記載する各部材の寸法等の数値及び材料名等は、実施形態としての一例であり、これに限定されるものではなく、適宜選択して使用してよい。
本明細書中において、形状や幾何学的条件を特定する用語、例えば、平行や直交等の用語については、厳密に意味するところに加え、同様の光学的機能を奏し、平行や直交と見なせる程度の誤差を有する状態も含むものとする。
【００１０】
（実施形態）
図１は、本実施形態の採光システムを適用した建造物を説明する図である。図１（ａ）は、採光部材を開口部の窓に設置した建造物を示す図である。図１（ｂ）は、採光部材を配置した窓の厚み方向から見た正面図である。
図２は、本実施形態の建造物の内側を説明する図であり、建造物の奥行き方向に平行であって、鉛直方向に平行な断面における断面形状を示している。
図３は、本実施形態の採光部材の詳細を説明する図である。図３は、図１（ｂ）の採光部材のａ部断面を示す図である。
【００１１】
なお、図１及び図２を含め以下に示す図中及び以下の説明において、理解を容易にするために、建造物の鉛直方向をＺ方向とし、水平方向のうち建造物の奥行き方向をＹ方向とし、その奥行き方向に直交する幅方向をＸ方向とする。この奥行き方向（Ｙ方向）のうち、−Ｙ側を建造物の正面側とし、＋Ｙ側を建造物の裏側とする。
また、図３及び図４に示す図中及び以下の説明において、理解を容易にするために、採光部材２０の上下方向をｚ方向とし、水平方向のうち採光部材２０の厚み方向をｙ方向とし、この厚み方向に直交する左右方向をｘ方向とする。この厚み方向（ｙ方向）のうち、−ｙ側を建造物の外側とし、＋ｙ側を建造物の内側とする。
【００１２】
なお、本実施形態の建造物１は、その正面側の面にのみ開口部２が設けられており、その開口部２の窓２ｂに貼付される採光部材２０の上下方向（ｚ方向）は、建造物の鉛直方向（Ｚ方向）に一致し、採光部材２０の厚み方向（ｙ方向）は、建造物１の奥行き方向（Ｙ方向）に一致し、採光部材２０の左右方向（ｘ方向）は、建造物の幅方向（Ｘ方向）に一致するものとする。
【００１３】
本実施形態では、蓄熱部１１、流体流動部１２、採光部材２０から構成される採光システム１０が、建造物１に設けられる例で説明する。
建造物１は、住居やオフィス等として使用される建物であり、本実施形態では、図１（ａ）に示すように、４階建ての建物であり、建造物の正面側（−Ｙ側）の面に、出入口５と複数の開口部２が設けられている。また、建造物１には、その内部に複数の部屋３が設けられており、その各部屋に採光システム１０が設けられている。
開口部２は、建造物１の外側から太陽光等の光を室内に採り入れるために外壁１ａ及び部屋３を区画する内壁３ａ（後述する）間に設けられた矩形状の孔である。開口部２には、図１（ｂ）に示すように、窓枠２ａを介して窓２ｂが配置されている。また、窓２ｂの室内側の面には、図３に示すように、接合層６を介して採光部材２０が貼付されており、窓２ｂから入射する太陽光等の光を、部屋３の天井側に採り入れている。
【００１４】
部屋３は、図２に示すように、開口部２が設けられた内壁３ａと、内壁３ａに対向し、部屋３の奥側に位置する内壁３ｂとが設けられている。また、部屋３には、内壁３ａ及び内壁３ｂの下側（−Ｚ側）の端縁間に床３ｃが設けられ、内壁３ａ及び内壁３ｂの上側（＋Ｚ側）の端縁間に天井３ｄが設けられている。本実施形態では、図２に示す部屋３は、建造物１の３階に設けられた部屋の例で説明するが、これに限定されるものでない。
なお、この内壁３ａ、内壁３ｂ及び開口部２は、鉛直方向（Ｚ方向）に平行であって幅方向（Ｘ方向）に平行、すなわちＸＺ面に平行に設けられており、また、床３ｃ及び天井３ｄは、水平方向（Ｘ方向、Ｙ方向）に平行、すなわちＸＹ面に平行に設けられている。
【００１５】
この部屋３の天井３ｄには、窓２ｂに貼付された採光部材２０によって室内側に採り入れられる太陽光の熱を蓄熱する蓄熱部１１が形成されている。ここで、蓄熱部１１は、石膏ボードや、コンクリート、セメントボード、樹脂ボード等の天井３ｄを構成する建築部材に蓄熱材を混合したり、塗工したりすることによって形成される。また、蓄熱部１１は、木質繊維や、鉱物性繊維、合成樹脂繊維等を用いた繊維質ボードに蓄熱材を混合したり、塗工したりして形成されるようにしてもよい。本実施形態の蓄熱部１１は、天井３ｄを構成する石膏ボードに蓄熱材が混合されることによって形成されている。
ここで、この蓄熱材は、固体が加熱されて溶けるときに融解熱を吸収し、液体が冷却されて固まるときに凝固熱を放出する原理を有しており、蓄熱部１１は、この原理に基づく蓄熱材の固体及び液体間の相変化によって、熱を吸収したり、放熱したりすることができる。
【００１６】
このように相変化を有する蓄熱材には、一般的に、無機水和塩と有機化合物の２種類がある。無機水和塩としては、塩化カルシウム水和物、硫酸ナトリウム水和物、チオ硫酸ナトリウム水和物、酢酸ナトリウム水和物等を使用することができる。有機化合物としては、脂肪族炭化水素化合物、アルコール、エステル、脂肪酸等を使用することができる。
ここで、有機化合物は、無機水和塩とは異なり、材料化合物の適当な選択により幅広い温度域に渡ってきめ細かく蓄熱温度を設定することができ、また、多数回にわたる融解及び凝固の繰り返しに対しても蓄熱及び放熱作用が安定しているため特に好ましい。上述の有機化合物の例の中でも熱容量が大きく、熱を多く蓄えることができるパラフィン系が好ましく、具体的には、ＪＸ日鉱日石エネルギー社製のエコジュール、ＪＳＲ社製のＣＡＬＧＲＩＰ、三菱製紙社製のＨＳカプセル等を使用することができる。
【００１７】
パラフィンは、一般式ＣｎＨ２ｎ＋２で表される飽和鎖式炭化水素の総称である。単一のパラフィンを用いる場合、蓄熱材の相変化温度はパラフィンの炭素鎖数ｎによって異なる。パラフィンの相変化温度は、炭素鎖数ｎが大きくなるほど高くなる。２種以上のパラフィンの混合物を用いる場合、混合比を変えることによって蓄熱部の相変化温度を調整することが可能である。例えば、２７℃〜４８．５℃の温度範囲内に相変化温度を有するパラフィンとしては、ｎ−ドコサン（Ｃ２２Ｈ４６）（融点４４．０℃、融解熱１５７ｋＪ／ｋｇ）、ｎ−エイコサン（Ｃ２０Ｈ４２）（融点３６．４℃、融解熱２４７ｋＪ／ｋｇ）、ｎ−オクタデカン（Ｃ１８Ｈ３８）（融点２８．２℃、融解熱２４３ｋＪ／ｋｇ）等がある。
なお、蓄熱材は、流動タイプ（スラリータイプ）、粉状タイプ（パウダータイプ）が主に存在するが、いずれのタイプも蓄熱部１１の形態に応じて適宜選択して使用することができる。
【００１８】
本実施形態の部屋３には、図２に示すように、内壁３ａ、天井３ｄ、内壁３ｂを囲むようにして流体流動部１２が設けられている。
この流体流動部１２は、部屋３の内壁３ａ、天井３ｄ、内壁３ｂの外側（室内側とは反対側）の面を沿うようにして流体を流動させる空間であり、第１流動部１２ａ、第２流動部１２ｂ、第３流動部１２ｃから構成されている。
第１流動部１２ａは、建造物１の裏側（＋Ｙ側）の外壁１ｂ及び内壁３ｂ間に設けられた空間である。第１流動部１２ａには、外壁１ｂの鉛直下側（−Ｚ側）に、流体流動部１２内に流体を導入する導入口１３が設けられている。
【００１９】
第２流動部１２ｂは、部屋３の天井３ｄと、この部屋３の上の階（４階）の部屋の床３ｃとの間に設けられた空間、いわゆる天井裏の空間であり、天井３ｄに含まれる蓄熱部１１に接するようにして設けられている。この第２流動部１２ｂは、第１流動部１２ａ及び第３流動部１２ｃとつながっている。
第３流動部１２ｃは、建造物１の正面側（−Ｙ側）の外壁１ａ及び内壁３ａ間に設けられた空間である。第３流動部１２ｃには、外壁１ａの鉛直下側（−Ｚ側）に、流体流動部１２内の流体を排出する排出口１４が設けられている。
本実施形態では、流体流動部１２に流動させる流体は空気Ｆであり、建造物１の外部の空気Ｆを導入口１３から流体流動部１２内へ導入し、第１流動部１２ａ、第２流動部１２ｂ、第３流動部１２ｃを通過させた後に排出口１４から排気する。
【００２０】
このように、内壁３ａ、天井３ｄ、内壁３ｂを囲むようにして流体流動部１２を設け、流体流動部１２に空気Ｆを流動させることによって、天井３ｄに含まれる蓄熱部１１を冷却し、蓄熱部１１に蓄熱された熱を放出させることができる。このとき、放出された熱は対流により鉛直上側（＋Ｚ側）へ放出されるので、蓄熱部１１（天井３ｄ）の鉛直上側に位置する流体流動部１２内に放出されることとなる。また、流体流動部１２内に放出された熱は、流体流動部１２内の空気Ｆの流動によって均一に分散することとなり、第２流動部１２ｂにおいて熱が籠ってしまうのを抑制することができる。
【００２１】
ここで、蓄熱部１１が含まれる天井３ｄの鉛直上側（＋Ｚ側）の面には、流体流動部１２内に突出する突出部１１ａを形成するようにしてもよい。この突出部１１ａは、上述の蓄熱部１１と同様の材料により形成されている。例えば、突出部１１ａは、図２（ｂ）に示すように、空気Ｆの流動方向に延びる平板が複数、Ｘ方向に配列される形態にしてもよく、また、図２（ｃ）に示すように、複数のタイル状（直方体状）の形状がＸ方向及びＹ方向に配列される形態にしてもよい。これにより、天井３ｄに含まれる蓄熱部１１と、空気Ｆとの接触面積を増やすことができ、蓄熱部１１から熱を効率よく放出させることができる。
【００２２】
採光部材２０は、太陽光等の光を建造物の室内側に採り入れるシート状の部材であり、図３に示すように、開口部２に設けられた窓２ｂの室内側の面に貼付されている。採光部材２０は、建造物の外側（−ｙ側）から順に、光偏向層３０、基材２１が積層された構成を有している。
この採光部材２０は、その厚み方向（ｙ方向）において建造物の外側（−ｙ側）に位置し、太陽光等の光が入射する入射面２０ａと、この入射面２０ａに対向し、建造物の内側（＋ｙ側）に位置して、光が出射する出射面２０ｂとから構成されている。
【００２３】
基材２１は、光偏向層３０の＋ｙ側（建造物の内側）の面に設けられた光透過性を有するシート状の部材であり、光偏向層３０を支持する支持体である。基材２１は、例えば、ガラス製の基板や、樹脂製（例えば、ポリエチレンテレフタレート（ＰＥＴ）や、ポリカーボネート（ＰＣ）等）の基板等が用いられている。
本実施形態では、この基材２１の＋ｙ側の面に、光偏向層３０のベース部３１（後述する）が賦形されている。なお、基材２１は、光偏向層３０に対して透明な接着層により接着されるようにしてもよい。この場合、接着層は、例えば、光透過性を有する熱可塑性樹脂等を使用することができる。更に、採光部材２０の基材２１は、省略することも可能である。この場合、光偏向層３０の＋Ｙ側の面が、採光部材２０の出射面２０ｂとなる。
【００２４】
光偏向層３０は、その厚み方向（ｙ方向）において互いに対向する入射面３０ａ及び出射面３０ｂとを有するシート状の層である。ここで、入射面３０ａは、光偏向層３０の建造物の外側（−ｙ側）の面であり、建造物の外側から光が入射する面である。また、出射面３０ｂは、光偏向層３０の建造物の内側（＋ｙ側）の面であり、光偏向層３０を透過した光が室内側に出射する面である。なお、光偏向層３０の法線方向は、厚み方向に平行であり、採光部材２０の法線方向と一致している。また、本実施形態の光偏向層３０の入射面３０ａは、採光部材２０の入射面２０ａと一致している。
【００２５】
光偏向層３０は、この入射面３０ａから入射した太陽光等の光を偏向して出射面３０ｂから出射させる部材である。光偏向層３０は、出射面３０ｂが基材２１に沿うようにして配置されている。
光偏向層３０は、図３に示すように、複数の溝３１ａを有するベース部３１と、その溝３１ａ内に形成されるルーバ部３２とから構成されており、鉛直上方側（＋Ｚ側）から主に入射する太陽光等の光Ｌを、ベース部３１とルーバ部３２との界面によって所定の方向に偏向させて、部屋３の天井３ｄ側へ向けて出射させる。
【００２６】
ベース部３１は、光透過性を有する透明な材料により形成された光偏向層３０の基礎となる部材である。このベース部３１には、左右方向（ｘ方向）に延び、光偏向層３０の入射面３０ａに沿って上下方向（ｚ方向）に溝３１ａが複数配列されている。
ルーバ部３２は、ベース部３１に設けられた溝３１ａ内に、光透過性を有する材料により形成されている。このルーバ部３２は、左右方向（ｘ方向）に延び、光偏向層３０の入射面３０ａに沿って上下方向（ｚ方向）に複数配列される形態となる。
【００２７】
また、ルーバ部３２は、その配列方向（上下方向（ｚ方向））に平行であって光偏向層３０の厚み方向（ｙ方向）に平行な断面（ｙｚ断面）における断面形状が楔形形状に形成されている。ここで、楔形形状とは、一方の端部の幅が広く、他方に向けて次第に幅が狭くなる形状をいい、三角形形状や台形形状等を含むものをいう。ルーバ部３２は、入射面３０ａ側の幅が広く、出射面３０ｂ側に向けて次第に幅が狭くなるように形成されている。本実施形態のルーバ部３２は、その断面形状が、入射面３０ａ側を底辺とする略三角形形状に形成されている。
【００２８】
このようにルーバ部３２を形成することによって、鉛直上方側（＋ｚ側）から採光部材２０に入射した太陽光等の光Ｌは、図３に示すように、主にルーバ部３２の鉛直上方側（＋ｚ側）の斜面に入射して、ベース部３１及びルーバ部３２の界面において反射して、偏向された上で出射面３０ｂから出射することとなる。
ルーバ部３２の屈折率は、ベース部３１及びルーバ部３２の界面において太陽光等の光を効率よく反射させる観点から、ベース部３１の屈折率よりも小さくなるように形成されることが望ましい。そのため、ルーバ部３２は、ベース部３１よりも屈折率の低い材料により形成されていることが望ましい。また、ルーバ部３２は、空気層、すなわち溝３１ａ内を空にしてもよい。
【００２９】
また、ルーバ部３２及びベース部３１の界面には、反射率を向上させるために、例えばアルミニウムやアルミニウム酸化物等の金属含有化合物などの反射率が高い材料により反射面が形成されていてもよい。さらに、反射面が形成されている場合は、ルーバ部３２の材料とベース部３１の材料とは同じものを使用してもよい。それによって、ルーバ部３２の屈折率とベース部３１の屈折率をほぼ同じにして、ルーバ部３２及びベース部３１の界面での屈折を抑制できるので、採光部材を通した視認性を良好にすることができる。
【００３０】
図４は、光偏向層の別な形態を示す図であり、光偏向層の上下方向（ｚ方向）に平行であって、厚み方向（ｙ方向）に平行な断面（ｙｚ断面）における断面形状である。
光偏向層３０は、ベース部３１及びルーバ部３２を備える例で説明したが、これに限定されるものでなく、異なる構成によって入射した光を偏向するようにしてもよい。
例えば、光偏向層３０は、図４（ａ）に示すように、上述のベース部及びルーバ部が同一の材料で形成され、反射層３４を挟み込んで結合した形態、すなわち、ベースとなる部材３３中に左右方向（ｘ方向）に延び、光偏向層３０の入射面３０ａに沿って、入射面３０ａの法線方向に対して所定の角度に傾斜した平板状の反射層３４が、上下方向（ｚ方向）に複数配列される形態としてもよい。この場合、反射層３４は、アルミニウムやアルミニウム酸化物等の金属含有化合物などの反射率が高い材料により形成される。
また、光偏向層３０は、図４（ｂ）に示すように、入射面３０ａに沿ってプリズム体３０ｃが上下方向（ｚ方向）に複数配列された形態としてもよい。また、プリズム体を形成する代わりに、フレネルレンズ形状を形成する形態としてもよい。
【００３１】
接合層６は、窓２ｂと採光部材２０とを接合する層である。接合層６は、光透過性を有し、十分な接合強度が得られるものであれば、特に限定されるものでなく、粘着剤を用いた粘着層や、接着剤を用いた接着層を接合層とすることができる。
なお、接合層６は、剥離再貼付可能な粘着剤や、静電気吸着剤等によって構成されるようにして、窓２ｂから採光部材２０を容易に剥がしたり、再貼付したりすることができるようにしてもよい。
【００３２】
次に、本実施形態の採光システム１０の蓄熱から放熱までの過程について説明する。
図２に示すように、開口部２の窓２ｂを介して建造物１の外側から太陽光Ｌが室内側に入射する。窓２ｂに入射した光Ｌは、図３に示すように、窓２ｂに貼付された採光部材２０の入射面２０ａに入射し、光偏向層３０のベース部３１とルーバ部３２との界面で反射して、室内の天井３ｄ側へと採り入れられる。室内に入射した太陽光Ｌは、図２に示すように、部屋３内の天井３ｄに入射し、天井３ｄとともに、天井３ｄに含まれる蓄熱部１１を加熱して、その融解熱が蓄熱部１１により吸収される。
【００３３】
部屋３には、上述したように、内壁３ａ、天井３ｄ、内壁３ｂの外側を囲むようにして流体流動部１２が設けられており、第１流動部１２ａに設けられた導入口１３から、建造物１の外気（空気）が取り込まれている。導入口１３から取り込まれた空気Ｆは、第１流動部１２ａから、第２流動部１２ｂ、第３流動部１２ｃを経て、第３流動部１２ｃに設けられた排出口１４まで流動して建造物１の外部へと排出される。
ここで、流体流動部１２内を通過する空気Ｆは、第２流動部１２ｂを通過するときに、天井３ｄの鉛直上側（＋Ｚ側）の面に接する。そのため、天井３ｄに含まれる蓄熱部１１は、天井３ｄとともに空気Ｆによって冷却され、蓄熱部１１から凝固熱が放出されることとなる。この蓄熱部１１から放出される熱は、対流により主に流体流動部１２内に放出され、流体流動部１２内を流動する空気Ｆによって均一に混ぜられる。そのため、流体流動部１２内の温度分布は均一になり、この流体流動部１２内の均一な温度環境によって、部屋３の室内は、内壁３ａ、内壁３ｂ及び天井３ｄを介して均一な温度環境に調整されることとなる。
【００３４】
次に、部屋３の天井３ｄに設けられる蓄熱部１１の別な形態について説明する。
図５は、採光システムを適用した建造物の内側の他の形態を示す図である。図５（ａ）は、部屋の天井に設けられる蓄熱部の別な形態を示す断面図であり、図２に対応する図である。図５（ｂ）は、図５（ａ）のｂ部詳細を示す斜視図である。
図６は、採光システムを適用した建造物の内側の他の形態を示す図であり、図２に対応する図である。
上述の蓄熱部１１は、天井３ｄを構成する材料に含有される蓄熱材によって構成される例を示したが、これに限定されるものでない。
【００３５】
例えば、蓄熱部１１は、図５（ａ）に示すように、天井３ｄとは別体に構成され、流体流動部１２に接するようにして、天井３ｄの鉛直上側（＋Ｚ側）の面に配置されるようにしてもよい。このように形成しても、蓄熱部１１は、採光部材２０により採り入れられた太陽光による熱によって天井３ｄを介して加熱され、流体流動部１２内の空気Ｆにより冷却されることによって、上述の図２に示す形態と同様の効果を奏することができる。
このとき、蓄熱部１１は、図５（ｂ）に示すように、複数のタイル状（直方体状）の突出部１１ａが天井３ｄの鉛直上側の面に所定の間隔で配列される形態とし、各突出部１１ａ間に空気Ｆが流動するようにしてもよい。これにより、蓄熱部１１の空気Ｆの接触面積を増やすことができ、蓄熱部１１を効率よく冷却し、凝固熱を放出させることができる。
なお、この場合、天井３ｄは、少なくとも蓄熱部１１が配置される部位に、熱伝導が優れた部材、例えば、ステンレスや鋼材等の金属や、コンクリート、セメント等からなる部材を使用してもよい。これにより、採光部材２０により採り入れられた太陽光の熱をより効率よく蓄熱部１１に伝達させることができ、より多くの熱を蓄熱することができる。
【００３６】
また、蓄熱部１１は、図６に示すように、天井３ｄとは別体に構成され、流体流動部１２に接するようにして、天井３ｄの鉛直下側（−Ｚ側、室内側）の面に配置されるようにしてもよい。ここで、蓄熱部１１が流体流動部１２に接するようにして配置されるとは、蓄熱部１１の少なくとも一部が流体流動部１２に直接、接している場合だけでなく、蓄熱部１１に蓄えられた熱が十分に流体流動部１２側に伝導する程度に蓄熱部１１及び流体流動部１２が互いに接近した状態も含むものをいう。
【００３７】
この場合でも、蓄熱部１１は、上述の図２に示す形態と同様の効果を奏することができる。また、この形態の蓄熱部１１は、採光部材２０により採り入れられた太陽光による熱を、直接、蓄熱部１１により吸収することができるので、上述の図５に示す形態に比して、太陽光による熱をより効率よく蓄熱することができる。なお、この場合、蓄熱部１１から放出される熱を流体流動部１２内へ効率よく伝達させる観点から、天井３ｄは、熱伝導の特性が優れた部材（例えば、ステンレスや鋼材等の金属や、コンクリート、セメント等からなる部材）を使用することが望ましい。
上述の図５、図６に示す蓄熱部１１は、蓄熱材を封入した容器や袋等の形態にしたり、石膏ボードや、コンクリート、セメントボード、樹脂ボード、繊維質ボード等に混合される部材の形態したりして天井３ｄに配置されるようにしてもよい。また、この蓄熱部１１は、天井３ｄに蓄熱材が塗工された形態にしてもよい。
【００３８】
以上より、本実施形態の採光システム１０（建造物１）は、室内の天井３ｄに設けられ、空気Ｆ（流体）が流動する流体流動部１２と、流体流動部１２に接するようにして配置され、採光部材２０によって採り入れられた光の熱を吸収して蓄える蓄熱部１１とを備えている。そのため、採光システム１０は、採光部材２０によって採り入れられた光の熱を吸収した蓄熱部１１を、流体流動部１２内を流動する空気Ｆによって冷却することができ、蓄熱部１１に蓄熱された熱を流体流動部１２内に放出するとともに、流体流動部１２内の熱を分散させることができる。これにより、採光システム１０は、部屋３内において、空調機等を使用することなく、室内の温度環境を均一に調整することができ、省エネルギー効果とともに快適な室内環境を実現することができる。
【００３９】
また、本実施形態の採光システム１０は、流体流動部に流体を導入する導入口と、流体を排出する排出口とが設けられているので、流体流動部内において流体を効率よく流動させることができる。
更に、本実施形態の採光システム１０は、天井３ｄに設けられる蓄熱部１１が、流体流動部１２内に突出する突出部１１ａを備えている場合（図２（ｂ）、図２（ｃ）、図５（ｂ）参照）、蓄熱部１１と空気Ｆとの接触面積を増やすことができ、蓄熱部１１から熱を効率よく放出させることができる。
【００４０】
以上、本発明の実施形態について説明したが、本発明は前述した実施形態に限定されるものではなく、後述する変形形態のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００４１】
（変形形態）
図７は、変形形態の採光システムを適用した建造物を説明する図である。
（１）上述の実施形態において、採光システム１０は、流体流動部１２内に空気Ｆを流動させる例を示したが、これに限定されるものでない。例えば、流体に水等の液状体を使用して、液状体を導入口１３から流体流動部１２内に導入し、排出口１４から排出するようにしてもよい。
【００４２】
（２）採光システム１０は、流体を積極的に流動させる流動機構部、例えば、プロペラ等から構成される送風機を流体流動部１２内に設けるようにしてもよい。これにより、流体流動部１２内の流体をより効率よく流動させることができる。
また、図７に示すように、導入口１３及び排出口１４を省略し、天井３ｄと上の階の床３ｃとの間に仕切り３ｅを設け、流体流動部１２が部屋３の内壁３ａ、内壁３ｂ、床３ｃ、天井３ｄを取り囲むようにして構成された流体流動部１２の一部に流動機構部１５が配置されるようにしてもよい。この場合、流体流動部１２は、第１流動部１２ａ〜第３流動部１２ｃと、床下に設けられた第４流動部１２ｄとから構成され、部屋３を囲むようにして流体を流動機構部１５により循環させることができるので、部屋３の温度環境をより効率よく均一にすることができる。
なお、この場合、流体を流体流動部１２内に密封することができるので、流体には、例えば、水等の液状体を用いることも可能である。
【００４３】
（３）上述の実施形態において、採光システム１０は、蓄熱部１１が天井３ｄに設けられる例を示したが、これに限定されるものでない。例えば、採光システム１０は、採光部材２０により採り入れられる光を天井３ｄだけでなく、開口部２に対向する内壁３ｂにも届くようにして、蓄熱部１１が天井３ｄだけでなく、内壁３ｂにも設けられるようにしてもよい。これにより、採光システム１０は、採光された光の熱をより多く蓄え、放熱させることができるので、省エネルギー効果をより向上させることができる。
【００４４】
（４）上述の実施形態において、採光システム１０は、建造物１の天井裏の空間や、内壁及び外壁間の空間を流体流動部１２として用いる例を示したが、これに限定されるものでなく、部屋３の内側や、外側に導管を設け、これを流体流動部として用いるようにしてもよい。この場合、蓄熱部は、導管を構成する部材に蓄熱材を混合させた形態にしたり、導管の内側又は外側に蓄熱材を塗工した形態にしたりすることができる。また、蓄熱部は、蓄熱材を含んだ部材の形態にして導管の内側又は外側に配置するようにしてもよい。
【００４５】
（５）上述の実施形態において、採光システム１０は、建造物１に設けられる例を示したが、これに限定されるものでなく、乗り物、例えば、船舶の客室等に設けられるようにしてもよい。
【００４６】
（６）上述の実施形態において、光偏向層３０のルーバ部３２は、光偏向層の上下方向（ｚ方向）に平行であって、厚み方向（ｙ方向）に平行な断面（ｙｚ断面）における断面形状が略三角形形状である例で説明したが、楔形形状であればこれに限定されるものでない。ルーバ部３２の上記断面形状は、例えば、台形形状に形成されるようにしてもよい。この場合、ルーバ部３２は、入射面３０ａ側を下辺とし、出射面３０ｂ側を下辺より短い上辺となるように形成される。
【００４７】
（７）上述の実施形態において、採光部材２０は、窓２ｂに貼付される例を示したが、これに限定されるものでない。例えば、採光部材２０は、窓２ｂの代わりに窓枠２ａに固定されるようにしてもよい。また、採光部材２０は、カーテン（ロールカーテン）の形態として、窓２ｂの室内側に配置されるようにしてもよい。
【符号の説明】
【００４８】
１    建造物
１ａ、１ｂ    外壁
２    開口部
２ａ    窓枠
２ｂ    窓
３    部屋
３ａ、３ｂ    内壁
３ｃ  床
３ｄ  天井
１０    採光システム
１１    蓄熱部
１１ａ    突出部
１２    流体流動部
２０    採光部材
２１    基材
３０    光偏向層
３０ａ    入射面
３０ｂ    出射面
３１    ベース部
３１ａ    溝
３２    ルーバ部
【図１】
2017002581.tif 000003
【図２】
2017002581.tif 000004
【図３】
2017002581.tif 000005
【図４】
2017002581.tif 000006
【図５】
2017002581.tif 000007
【図６】
2017002581.tif 000008
【図７】
2017002581.tif 000009